(57)【要約】【課題】廃液を容器の頭部に溜めることのできる鼻腔用スパウトを提供する。【解決手段】エアゾール容器頭部に、弁機構を内蔵したマウンティングカップ２が巻締め部２ａにより装着されると共に、パイプ状のノズル１１が突設された操作部付スパウト基部の内部に、弁機構から突出するステムに嵌着する流路が形成され、またノズルの先端よりも基端寄りの位置に、鼻腔の入口周辺部に当接する受液部２０が形成されることにより、この受液部で鼻腔を塞いだ状態で操作部１６の押下げ操作によりノズル先端から内容液を鼻腔に噴射させる。受液部２０の排液口２１に連通する排液溝２２がスパウト周面に沿って形成され、巻締め部２ａよりも内側のマウンティングカップ面に排液を排出させる。【選択図】          図１
2004188074.tif 000002
【特許請求の範囲】
【請求項１】
エアゾール容器頭部に、弁機構を内蔵したマウンティングカップが巻締め部により装着されると共に、パイプ状のノズルが突設された操作部付スパウト基部の内部に、弁機構から突出するステムに嵌着する流路が形成され、またノズルの先端よりも基端寄りの位置に、鼻腔の入口周辺部に当接する受液部が形成されることにより、この受液部で鼻腔を塞いだ状態で操作部の押下げ操作によりノズル先端から内容液を鼻腔に噴射させるようになった鼻腔用スパウトにおいて、
受液部に形成された排液口に連通し、かつ巻締め部の内側のマウンティングカップ面に排液を排出させる排液溝が、スパウト周面に沿って形成されたことを特徴とする鼻腔用スパウト。
【請求項２】
エアゾール容器頭部に装着された肩カバーの上部に、スパウト基部の外周面がインテグラルヒンジ部を介して揺動可能に連結されると共に、前記肩カバーの周面部に、マウンティングカップ面に溜まった排液を外部へ排出させる排出口が形成されたことを特徴とする請求項１記載の鼻腔用スパウト。
【請求項３】
排液溝が、スパウト周面に沿ってスパウト内部に形成されていることを特徴とする請求項１記載の鼻腔用スパウト。
【請求項４】
ノズルが垂直上方に対して斜めに形成されると共に、操作部が垂直上方に対して前記ノズルと反対側に側方へ向けて突設され、また受液部の排液口が前記ノズルに対して前記操作部と反対側に形成されていることを特徴とする請求項３記載の鼻腔用スパウト。
【請求項５】
受液部の内面が、逆円錐状に形成されたことを特徴とする請求項１乃至請求項４のいずれか記載の鼻腔用スパウト。
【発明の詳細な説明】
【０００１】
【発明の属する技術分野】
本発明は、エアゾール容器頭部に、マウンティングカップが巻締め部により装着されると共に、パイプ状のノズルが突設された操作部付スパウト基部の内部に、マウンティングカップに内蔵の弁機構から突出するステムに嵌着する流路が形成され、またノズルの先端よりも基端寄りの位置に、鼻腔の入口周辺部に当接する受液部が形成されることにより、この受液部で鼻腔を塞いだ状態で操作部の押下げ操作によりノズル先端から内容液を鼻腔に噴射させるようになった鼻腔用スパウトに関するものである。
【０００２】
【従来の技術】
この種の鼻腔用スパウトは、特許文献１により周知であり、パイプ状ノズルの周面にフランジ状の受液部を形成して、洗浄液の噴射による洗浄時に受液部を鼻腔口に蓋として当てることにより、逆流してくる洗浄液を塞き止めて、垂れるのを防止しようとしている。しかしながら、使用後に液垂れにより容器或は手が汚れる可能性があり、また鼻腔が完全に閉鎖された場合の鼻腔内圧の上昇による不快感が生じる可能性が残されることを勘案して、特許文献２により、受液部からノズルに沿って容器外に廃液する溝を形成した鼻腔用噴射装置が開示されている。
【０００３】
【特許文献１】
特開２０００−９３４８３号公報
【特許文献２】
特開２００２−３０１１５１号公報
【０００４】
【発明が解決しようとする課題】
この特許文献２による鼻腔用噴射装置の場合、廃液経路は決められるとしても単に容器外へ廃液するもので、容器或は手の汚れを確実に防止するのは難しく、特に携帯用の鼻腔用スパウトの場合は不都合である。
【０００５】
本発明は、このような点に鑑みて、廃液を容器の頭部に溜めることのできる鼻腔用スパウトを提供することを目的とする。
【０００６】
【課題を解決するための手段】
本発明は、この目的を達成するために、請求項１により、エアゾール容器頭部に、弁機構を内蔵したマウンティングカップが巻締め部により装着されると共に、パイプ状のノズルが突設された操作部付スパウト基部の内部に、弁機構から突出するステムに嵌着する流路が形成され、またノズルの先端よりも基端寄りの位置に、鼻腔の入口周辺部に当接する受液部が形成されることにより、この受液部で鼻腔を塞いだ状態で操作部の押下げ操作によりノズル先端から内容液を鼻腔に噴射させるようになった鼻腔用スパウトにおいて、受液部に形成された排液口に連通し、かつ巻締め部よりも内側のマウンティングカップ面に排液を排出させる排液溝が、スパウト周面に沿って形成されたことを特徴とする。
【０００７】
排液溝は、スパウト周面の外側もしくは内側に形成される。ノズルの先端部を鼻腔に挿入して、受液部を鼻腔の入口周辺部に当接させて塞いだ状態で、操作部を押し下げ操作すると、内溶液が鼻腔へ噴射されると共に、鼻腔内で逆流してきた廃液は受液部で塞き止められ、排液口から排液溝に流れ込んでマウンティングカップ面に排出される。
【０００８】
【発明の実施の形態】
図１及び図２を基に本発明の実施の形態の一例による鼻腔用スパウトを説明する。このスパウトは、例えば洗浄液が充填された円筒状エアゾール容器１の頭頂部に装着されたマウンティングカップ２に内蔵の弁機構から突出するステム３に嵌着するスパウト基部１０に、パイプ状のノズル１１を突設して形成されている。ドーム状のスパウト基部１０の内部には、上方へ弾性付勢されたステム３に基端部で嵌着する縦方向の中心流路１４が形成されている。ノズル１１の先端部には、噴射口１５ａを備えた噴口部材１５が嵌合されている。スパウト基部１０の上部には、押下げ操作用の操作部１６が側方へ突設されている。
【０００９】
ノズル１１の先端から僅かに基端寄りの位置には、鼻腔の入口周辺部に当接するように、逆円錐である漏斗状の受液部２０が形成されている。この受液部のノズル１１に対して操作部１６と反対側には、排液口２１が形成されている。スパウト外周面、即ち受液部２０より下方のノズル１１部分及びスパウト基部１０に沿って、排液溝２２が縦方向へ露出して形成されている。この排液溝の下端２３は、マウンティングカップ２のエアゾール容器１との巻締め部２ａの内側で、かつボス部２ｂの周囲のマウンティングカップ面２ｃの上方に終端している。
【００１０】
このように構成された鼻腔用スパウトの動作は次の通りである。鼻腔の洗浄に際しては、ノズル１１の先端部を鼻腔に挿入して、受液部２０を鼻腔の入口周辺部に当接させて塞いだ状態で、人差し指で操作部１６を押し下げ操作すると、洗浄液が鼻腔へ噴射される。鼻腔内を逆流してきた廃液は受液部２０に塞き止められ、その漏斗状の液受面に沿って排液口２１から排液溝２２に流れ込み、この排液溝に沿ってマウンティングカップ面２ｃに排出されて溜められる。したがって、ノズル１１を鼻腔から抜いた際に液垂れが生じず、適時エアゾール容器１を傾倒させて外部に廃液することができる。特に、残液が微量の場合には、そのまま放置して乾燥させることもできる。
【００１１】
図３及び図４は別の実施の形態による鼻腔用スパウトを示すもので、垂直上方に対して傾斜したパイプ状のノズル３１付のスパウト基部３０が、揺動式に肩カバー４０に一体成形されている。肩カバー４０は、外径が２段に変化する環状の周面部４１、４２を備えることにより、その段部がマウンティングカップ２の巻締め部２ａに載置されると共に、周面部４２の下端の突出部４２ａが、巻締め部２ａの下端の凹部に外係合して、肩部をマウンティングカップ２と共にカバーする。
【００１２】
肩カバー４０の上部には、スパウト基部３０を揺動させる円形開口部４６を形成するように、平坦環状の上面周辺部４４が形成されると共に、その操作部３４と反対側の部分に、スパウト基部３０の外周面３５がインテグラルヒンジ部４５を介して揺動可能に連結されている。
【００１３】
ノズル３１の先端よりも僅かに基端寄りの位置には、排液口３７付きの逆円錐台状に膨出された受液部３２が形成されている。スパウトのインテグラルヒンジ部４５側は空洞状に形成され、外周面３５に対して離間した内周面３６間には、排液口３７に連通する断面略円弧状の排液溝３３が形成されている。その下端３８は、マウンティングカップ面２ｃの上方に終端している。また、肩カバー４０の周面部４１には排出口４９が形成されている。
【００１４】
ノズル３１を鼻腔に挿入した状態で、操作部３４を人指し指で押下げ操作すると、スパウト基部３０がインテグラルヒンジ部４５を支点として揺動してステム３を下動させる。鼻腔内で逆流してきた廃液は排液口３２から排液溝３３に沿ってマウンティングカップ面２ｃに溜められる。したがって、ノズル３１を鼻腔から抜いた後に、エアゾール容器１を傾倒させて、排出口４９から外部に廃液することができる。
【００１５】
尚、本発明は洗浄液に限らず、薬剤を内溶液とするエアゾール容器にも適用される。排液溝は、ノズルが垂直上向きに形成されている場合でも、スパウト周面に沿ってスパウト内部に形成することもできる。
【００１６】
【発明の効果】
請求項１の発明によれば、廃液がマウンティングカップ内に溜まることにより、使用後に手或は容器が汚れることがなく、使用後に容器を傾倒させて洗面台等に排出させることができる。請求項２の発明によれば、揺動式に肩カバーに一体成形された鼻腔用スパウトにも適用される。請求項３の発明によれば、手或は容器の汚れが一層確実に回避される。請求項４の発明によれば、ノズルが斜め上向き形成されている場合でも汚れが確実に回避される。請求項５の発明によれば、液受面が逆円錐状に形成されていることにより、特にノズルが垂直上向きの場合でも汚れが確実に回避される。
【図面の簡単な説明】
【図１】本発明の実施の形態による鼻腔用スパウトの斜視図である。
【図２】同スパウトの断面図である。
【図３】本発明の別の実施の形態による鼻腔用スパウトの斜視図である。
【図４】図３によるスパウトの断面図である。
【符号の説明】
１  エアゾール容器
２  マウンティングカップ
２ａ  巻締め部
２ｃ  マウンティングカップ面
３  ステム
１０，３０  スパウト基部
１１，３１  ノズル
１６,３４  操作部
２０，３２  受液部
２１，３７  排液口
２２，３３  排液溝
４０  肩カバー
４９  排出口
【図１】
2004188074.tif 000003
【図２】
2004188074.tif 000004
【図３】
2004188074.tif 000005
【図４】
2004188074.tif 000006